(57)【要約】【課題】  必要な数の合成樹脂製バケツだけに、装着できるような吊り下げ具を提供すること、すなわち、持ち運ぶとき、飾るときだけつける事ができるような吊り下げ具を提供する。【解決手段】  環状フランジ部（１０３）を上端に備える合成樹脂製バケツ（１０１）を吊り下げるための吊り下げ具（１）であって、当該合成樹脂製バケツ底部（１０１ｃ）側から当該合成樹脂製バケツ（１０１）に嵌め込み取り外し可能、かつ、環状フランジ部下端（１０３ｂ）に当接可能に構成された支持環（５）と、一対の支持柱（７）と、把持棒（９）と、を含めて構成してある。当該支持柱（７）の各々には、当該支持環（５）に当該合成樹脂製バケツ（１０１）を取り外し可能に固定するための固定構造（２９）が形成してある。したがって、花を飾り付けた合成樹脂製バケツ（１０１）を、容易に持ち運びできる。【選択図】  図１
0003122303.tif 000002
【実用新案登録請求の範囲】
【請求項１】
環状フランジ部を上端に備える合成樹脂製バケツを吊り下げるための吊り下げ具であって、
当該合成樹脂製バケツ底部側から当該合成樹脂製バケツに嵌め込み取り外し可能、かつ、環状フランジ部下端に当接可能に構成された支持環と、
当該支持環側端又は上端の平面視点対称位置から起立する一対の支持柱と、
当該支持柱各々の上端を連結する把持棒と、を含めて構成してあり、
当該支持柱の各々には、当該支持環に当該合成樹脂製バケツを取り外し可能に固定するための固定構造が形成してある
ことを特徴とする吊り下げ具。
【請求項２】
前記固定構造は、前記支持柱各々に貫通形成したネジ孔と、
当該ネジ孔各々にネジ込み貫通可能な蝶ネジと、
を含めて構成してあり、
一方のネジ孔を通過する中心線と他方のネジ孔を通過する中心線とが、略一致するように形成してあり、
当該ネジ孔各々に前記支持柱各々の外側から貫通させ内側に突き出させた当該蝶ネジ各々の先端が前記環状フランジ部の上端に接触可能に構成してある
ことを特徴とする請求項１記載の吊り下げ具。
【請求項３】
前記把持棒の略中央には、縦孔を有する支持構造が設けてあり、
当該支持構造が、表示板から垂下する支持棒を挿し込み引き抜き可能とする
ことを特徴とする請求項１又は請求項２記載の吊り下げ具。
【請求項４】
前記支持柱の各々が、長さ方向に伸縮可能とするための伸縮構造を有している
ことを特徴とする請求項１乃至３記載のいずれかの吊り下げ具。
【考案の詳細な説明】
【技術分野】
【０００１】
本考案は、環状フランジ部を上端に備える合成樹脂製バケツ用吊り下げ具に関するものである。
【背景技術】
【０００２】
御葬式・お祝い等冠婚葬祭用の生花・造花の器として、一般的に陶器製の菱カゴ、又は、合成樹脂製バケツ、が多く使われている。菱カゴは、一般的に上から見て菱形形状のカゴであり、その外周には装飾が施され、手で持ち易いように吊り下げ具が装着されている。他方、合成樹脂製バケツは、一般に、開口部が円形状又は四角形状に形成してあり、吊り下げ具を備えていない。これらの菱カゴや合成樹脂製バケツは、生花や造花を一纏めにしながら飾り付けることができ、非常に便利なものである。すなわち、この菱カゴや合成樹脂製バケツに花を入れて予めある程度飾り付けてから、仕上げを残す段階で菱カゴ、又は、合成樹脂製バケツごと冠婚葬祭が行われる場所又は会場に持ち込みする。持ち込んだ菱カゴや合成樹脂製バケツに予め飾り付けた花や茎等の体裁を整える。会場では仕上げを施すだけで良いので、花と菱カゴや合成樹脂製バケツを別々に持ち込み、会場で花を飾り付けるよりも短時間で作業を終了できる。
【考案の開示】
【考案が解決しようとする課題】
【０００３】
しかしながら、上述した菱カゴや合成樹脂製バケツにはそれぞれ次の問題があった。吊り下げ具を装着している菱カゴは、持ち運びに便利であるが、施されている装飾等が壊れ易い。加えて、菱カゴは、その多くが陶器製であるから、持ち運びの際に硬い物に誤ってぶつけたり、けったりした場合には、壊れてしまうため、取り扱いの際、特に、持ち運びの際に慎重にならなければならない。したがって、急いで短時間に飾り付けを終えなければならい場合には、菱カゴは不向きであるといえる。これに対して、合成樹脂製バケツは壊れづらく、その上、購入単価が安い。購入単価が安ければ、その分飾り付ける花の本数を多くすることができる。したがって、安くて丈夫な器であるから、本来、合成樹脂製のバケツを生花等の器として使用したいが、合成樹脂製バケツには吊り下げ具が装着されていない。吊り下げ具が装着されていないと、持ち運びの際に、合成樹脂製バケツを両手で抱える必要があるため、一度に１つのバケツしか運ぶことができず、時間がかかったり、花を傷めたり、することにもなるから持ち運びに不便である。このような理由から、合成樹脂製バケツは、菱カゴに比べて使用されていなかった。
【０００４】
本考案が解決しようとする課題は、上述した問題を解決することにある。すなわち、必要な数の合成樹脂製バケツだけに、装着できるような吊り下げ具を提供すること、すなわち、持ち運ぶとき、飾るときだけつけることができるような吊り下げ具を提供することにある。
【課題を解決するための手段】
【０００５】
上述した課題を解決しようとした考案者は、合成樹脂製バケツを容易に持ち運びできる着脱自在の吊り下げ具を開発した。その詳しい内容については、項を改めて説明する。なお、何れかの請求項に係る考案の説明において行う用語の定義等は、その性質上可能な範囲において他の請求項に係る考案にも適用されるものとする。
【０００６】
（請求項１に記載した考案の構成及び特徴）
請求項１記載の考案に係る吊り下げ具（以下、適宜「請求項１の吊り下げ具」という）は、環状フランジ部を上端に備える合成樹脂製バケツを吊り下げるためのものである。当該合成樹脂製バケツの底部側から当該合成樹脂製バケツに嵌め込み取り外し可能、かつ、環状フランジ部下端に当接可能に構成された支持環と、当該支持環側端又は上端の平面視点対称位置から起立する一対の支持柱と、当該支持柱各々の上端を連結する把持棒と、を含めて構成してある。当該支持柱の各々には、当該支持環に当該合成樹脂製バケツを取り外し可能に固定するための固定構造が形成してあることを特徴とする。
【０００７】
請求項１の吊り下げ具によれば、花を飾り付けた合成樹脂製バケツを、容易に持ち運びできる。すなわち、請求項１の吊り下げ具では、合成樹脂製バケツ上端部に備えられた環状フランジ部の下端と支持環が当接し、また固定構造が、環状フランジ部を固定できるよう形成してある。これにより、合成樹脂製バケツは、取り外し可能に吊り下げ具に固定され、合成樹脂製バケツを安定して持ち運ぶことができる。さらに、片手で１つずつ合成樹脂製バケツを持つことができるから、両手で抱えながら運んでいた場合に比べ、作業効率を少なくとも２倍アップ出来る。また、請求項１の吊り下げ具を取り付けることにより、飾り付けてある花を傷めずに、合成樹脂製バケツを会場等に持ち運び可能となる。両手で抱えて運べば、バケツを抱える位置が不動であるため、飾り付けた花や茎等が運び手に接近し誤って接触することも多くなるからである。合成樹脂製バケツに飾った花が式典での役目を終えた後には、花を捨て、合成樹脂製バケツから、当該吊り下げ具を取り外すことにより、簡単に合成樹脂製バケツの清掃をすることができる。また、請求項１の吊り下げ具は、何度も取り付け取り外し可能であるため、何度も使用できる。取り外し可能であるため、合成樹脂製バケツが破損しても、別の合成樹脂製バケツに取り付けて使用できる。したがって、請求項１の吊り下げ具を使用することにより、安価な合成樹脂製バケツを使用でき、バケツ代や花の飾り付けを含めた値段が同じなら、その安くなった購入単価の分だけ飾り付ける花の本数を増やすこともできる。
【０００８】
（請求項２に記載した考案の構成及び特徴）
請求項２記載の考案に係る吊り下げ具（以下、適宜「請求項２の吊り下げ具」という）は、請求項１の吊り下げ具の基本構造に加え、前記固定構造は、前記支持柱各々に貫通形成したネジ孔と、当該ネジ孔各々にネジ込み貫通可能な蝶ネジと、を含めて構成してあり、一方のネジ孔を通過する中心線と他方のネジ孔を通過する中心線とが、略一致するように形成してあり、当該ネジ孔各々に前記支持柱各々の外側から貫通させ内側に突き出させた当該蝶ネジ各々の先端が前記環状フランジ部の上端に接触可能に構成してあることを特徴とする。
【０００９】
請求項２の吊り下げ具によれば、請求項１の作用効果に加えて、ネジ孔にネジ込み可能な蝶ネジの使用により、蝶ネジのネジ込み貫通が簡単にできるから、請求項２の吊り下げ具を使用すれば、必要な時に合成樹脂製バケツに取り付け取り外しができ、しかも短時間で簡単にできる。工具を使用せずに手で締めたり弛めたり、できるため、特別な工具も不要である。さらに、蝶ネジは、簡単にそのネジを弛めたり、締めたりできるから、合成樹脂製バケツに形成してある環状フランジ部に接触可能な蝶ネジ先端の長さを自在に変えやすい。長さを自在にできれば、合成樹脂製バケツによって環状フランジ部の厚みが様々であっても、蝶ネジを使用することにより、突き出した蝶ネジ先端を適度な長さにできるので、さらに安定して運ぶことができる。
【００１０】
（請求項３に記載した考案の構成及び特徴）
請求項３記載の考案に係る吊り下げ具（以下、適宜「請求項３の吊り下げ具」という）は、請求項１又は２の吊り下げ具の基本構造に加え、前記把持棒の略中央には、縦孔を有する支持構造が設けてあり、当該支持構造が、表示板から垂下する支持棒を挿し込み引き抜き可能とすることを特徴とする。
【００１１】
請求項３の吊り下げ具によれば、請求項１又は２の作用効果に加えて、把持棒のほぼ中央に、すなわち、正面から見て、合成樹脂製バケツに飾りつけた花の中央に、表示板を挿し込むことができる。すなわち、請求項３の吊り下げ具を使用すれば、表示板を挿し込む位置が挿し込む前から明らかであり、実際に表示板を挿し込まなくとも、表示板の挿す位置とのバランスを考慮しながら、体裁を整える仕上げの作業だけを残して、花を飾り付けることができる。また、予め表示板を挿し込んでから、会場に持ち込む際には、その持ち運びの間に、花を傷めやすい。しかし、請求項３の吊り下げ具によれば、挿しこみ位置が明白であるため、後から表示板を挿し込んでも、飾り付け全体のバランスを崩さない。したがって、会場に持ち運んだ後の、仕上げの段階で表示板を挿し込みでき、花を傷める心配もない。
【００１２】
（請求項４に記載した考案の構成及び特徴）
請求項４記載の考案に係る吊り下げ具（以下、適宜「請求項４の吊り下げ具」という）は、請求項１乃至３のいずれかの吊り下げ具の基本構造に加え、前記支持柱の各々が、長さ方向に伸縮可能とするための伸縮構造を有していることを特徴とする。
【００１３】
請求項４の吊り下げ具によれば、請求項１乃至３のいずれかの作用効果に加えて、支持柱の各々の長さを伸縮できる吊り下げ具を提供できる。すなわち、一方の支持柱が他方の支持柱を受け入れ可能に形成してあるから、飾り付ける花の長さ寸法に合わせた適度な支持柱の長さにできる。たとえば、飾り付けの大きさ（長さ又は高さ）は、冠婚葬祭の式典や催しが行われる会場にて、どのように花を飾り付けるかにより、小さく（短く又は低く）飾り付ける場合もあれば、大きく（長く又は高く）飾り付ける場合もある。したがって、それぞれのサイズに合わせて吊り下げ具を用意できれば都合よいが、そのような様々なサイズの吊り下げ具を用意することには限界がある。そこで、支持柱に伸縮構造を持たせることにより、飾り付けの大きさ（長さ）に合わせて、支持柱の長さを調節できるようにした。花と把持棒との接触を極力抑えることが可能となり、花を傷めづらくなり、簡単に持ち運びできる。
【考案の効果】
【００１４】
本考案によれば、合成樹脂製バケツを吊り下げ可能な吊り下げ具を提供することができる。これにより、合成樹脂製バケツを容易に持ち運ぶことができるため、合成樹脂製バケツを使用しやすくなる。また、吊り下げ具の使用により、花を傷めないで持ち運びできる。
【考案を実施するための最良の形態】
【００１５】
次に、各図を参照しながら、本考案の実施の形態（以下、「本実施形態」という）について説明する。図１は、合成樹脂製バケツ（以下、「バケツ」という）に装着した吊り下げ具の斜視図である。図２は、バケツに装着した吊り下げ具の平面図である。図３は、バケツに装着した吊り下げ具の正面図である。図４は、バケツに装着した吊り下げ具における固定構造の部分拡大図である。図５は、吊り下げ具の変形例を示す図である。図６は、吊り下げ具の使用状態を示す正面図である。
【００１６】
（バケツ）
図１乃至４を参照しながら、本実施形態に係る吊り下げ具の対象となるバケツについて説明する。バケツ１０１は、環状フランジ部１０３を上端に備える合成樹脂製バケツである。なお、図２上では、環状フランジ部１０３の上端１０３ａが平面視円形状のバケツを示しているが、当該円形状に限られず、四角形、六角形の形状も含まれる。一般的に葬式等では、環状フランジ部１０３の上端１０３ａが円形状のものが多く見られるが、花屋などで見られる四角形、多角形等のバケツも含む趣旨である。なお、正面からみたバケツ１０１の形状は、バケツ１０１の底部１０１ｃから上端１０３ａに向かって、少なくとも幅広又は円筒形状になっている。バケツ１０１の形状が、幅広か円筒形状であれば、バケツ１０１の底部１０１ｃを支持環５に嵌め込むことができるからである。幅広又は円筒形状であるため、バケツ１０１は洗浄し易くなっている。といった副次的効果を得ることが出来る。バケツ１０１の洗浄は手作業で行われることが一般的であるため、バケツ内部に手が届き易い形状である幅広又は円筒形状は好ましいからである。なお、図１乃至６は、バケツ１０１の環状フランジ部１０３が円形状のバケツ（以下、適宜「丸バケツ」という。）に形成してある場合を一例として示している。このバケツ１０１は、合成樹脂製であり、たとえば、ＡＢＳ合成樹脂等がある。安価、軽量で成形し易い合成樹脂であれば、当該合成樹脂に含まれる。
【００１７】
（吊り下げ具の構成）
図１を参照しながら、吊り下げ具１の構成について説明する。吊り下げ具１は、支持環５と一対の支持柱７と把持棒９と固定構造２９とから概ね構成されている。
【００１８】
（支持環の構造）
図１乃至４を参照しながら、支持環５の構造について説明する。支持環５は、
平面視ドーナツ状の形状で、中空部を有し、上述したようにバケツ１０１に嵌め込み取り外し可能に形成してある。この支持環５の形状は、図２では、平面視環状を示しているが、これは、環状フランジ部１０３を上端に備える平面視円形状のバケツ１０１を一例として示したためである。したがって、丸バケツの代わりに、四角形、又は、多角形等のフランジ部を有するバケツである場合には、フランジ部の形状に合わせた形、すなわち、四角形、多角形等になる。このようにバケツの形状に合わせることで、支持環５は、バケツ１０１の上端部に設けられた環状フランジ部１０３の下端１０３ｂに当接させることができる。支持環５の厚み方向断面形状は、図４に示す円形状等に限らず、板形状でもよい。バケツに形成されるフランジ部に当接でき安定的に支持できればよいからである。なお、支持環の断面内部は、図４に示す中空形状に限定されず、持ち運び易く軽量なものであれば含まれる。ここで、支持環５の内径Ｄ１は、環状フランジ部１０３の外径Ｄ２よりも小さく形成してあり、環状フランジ部１０３が形成してあるバケツ上端部の外径Ｄ３よりも大きく形成してある。環状フランジ部１０３の外径Ｄ２よりも小さく形成してあるのは、バケツ１０１の環状フランジ部１０３に当接できるようにしたためである。換言すれば、支持環５が環状フランジ部１０３に当接できない程度に大きいと、バケツ１０１が支持環５から抜けてしまうため、バケツ１０１を吊り下げることができないからである。また、バケツ１０１上端部の外径Ｄ３よりも大きく形成してあれば、支持環５にバケツの底部が入らなかったり、バケツの途中に引っ掛かったり、することなく、環状フランジ部１０３に当接でき、支持環５の機能を果たすことができる。したがって、バケツ１０１の底部から支持環５を嵌め込むことにより、環状フランジ部１０３に邪魔されないで、支持環５を環状フランジ部１０３の下端１０３ｂに当接できる。また、支持環５からバケツ１０１を取り外すには、バケツ１０１の底部方向に引っ張るように抜いて外せばよい。この支持環５は、鉄等の金属、ＡＢＳ等の合成樹脂から作られる。鉄等は、耐久性のある支持環を作ることができ、ＡＢＳ等の合成樹脂は、安価、軽量な支持環を形成できる。
【００１９】
（支持柱の構造）
図１、３及び４を参照しながら、支持柱の構造について説明する。支持柱７は、パイプ材により構成した一対の柱状部材であり丸棒状に形成してある。この支持柱７の各々は、支持環５の側端又は上端の平面視点対称位置から起立して形成してある。すなわち、支持柱７の各々は、一方の端部７ａと他方の端部７ａ´とを有し、それぞれの端部７ａ，７ａ´は、支持環５の側端又は上端に結合させてある。位置関係を時計盤に例えれば、一方の端部７ａと他方の端部７ａ´は、１２時と６時の位置関係にあり、１２時の位置に一方の端部７ａがあれば、６時の位置に他方の端部７ａ´がある。この支持柱７の各々の上端７ｂ，７ｂ´は、後述の把持棒９と結合してある。これらの結合は、支持柱７と支持環５とが溶接可能な金属であれば溶接により、支持柱７と支持環５とが合成樹脂であれば接着により、結合されている。なお、図１に示すように、支持柱７の各々の上端７ｂ，７ｂを屈曲させて把持棒９を構成させてもよい。支持柱７と支持環５とは、取り外し不可能に固定されるのが好ましい。取り外し不可能に固定されるのは、支持柱７と支持環５とには、花等を入れたバケツ１０１の重量が直接かかるため、安全性や安定性を考慮したためである。支持柱７と把持棒９の結合については後述する。なお、本願実施形態では、支持柱７の断面は円形であるが、支持柱７としての機能を損なわないものであれば、円、三角、四角等の形状でもよい。換言すれば、支持柱７は、把持棒９をしっかりと支えることができる形状であればよい。なお、この支持柱７は、鉄等の金属やＡＢＳ等の合成樹脂から作られる。鉄等の金属は、耐久性のある支持柱を形成でき、ＡＢＳ等の合成樹脂は、安価、軽量性等に優れた支持柱を形成できる。
【００２０】
（把持棒の構造）
図１乃至３及び６を参照しながら、把持棒９の構造について説明する。把持棒９は、棒形状をしており、その両端は、支持柱７，７の上端７ｂ，７ｂ´と結合している。把持棒９は、例えば、棒形状であれば、その断面は円形形状となり、握り易い機能を損なわなければ、三角形、四角等の形状でもよい。また、把持棒９の断面径（図示せず）は、手で持つことができる、または、握ることができる、花の邪魔にならない程度の太さであればよい。なお、握り易い形状に形成した把持棒９にグリップ部分を形成し、そのグリップ部分を握れるように形成してもよい。この把持棒９は、鉄等の金属、ＡＢＳ等の合成樹脂から形成されている。鉄等は耐久性に優れ、ＡＢＳ樹脂等は、安価で成形し易い点で優れている。なお、把持棒９を支持柱７に固定する方法は、合成樹脂等から形成してある場合には接着、嵌め込み等により、金属からなる場合には溶接等により、固定する。
【００２１】
（固定構造）
図１乃至４を参照しながら、固定構造について説明する。固定構造２９は、蝶ネジ１３と、ネジ孔１３ｈと、ナット１３ｂとにより構成してある。ネジ孔１３ｈは、支持柱７各々に貫通形成してあり、各々のネジ孔のうち、一方のネジ孔１３ｈと、他方のネジ孔１３ｈとが対向関係にある。具体的には、一方のネジ孔を通過する中心線と他方のネジ孔を通過する中心線とが、図２及び３の仮想線Ｌ１で示すように略一致するように形成してある。このネジ孔１３ｈに、蝶ネジ１３がねじ込み貫通可能になっており、蝶ネジ１３を対向関係に突き出させる。このように、ネジ孔１３ｈと蝶ネジ１３とを形成したのは、上記蝶ネジ１３を締めた際、環状フランジ部１０３の上端１０３ａに接触可能にしたからである（図４参照）。また、ナット１３ｂを使用することにより、ネジ孔１３ｈに蝶ネジ１３をねじ込み貫通させたのち、蝶ネジ１３が簡単に外れないように固定する。なお、ナット１３ｂを使用するのは、図４では、支持柱７が、中空のパイプ形状から形成してあり、ネジ切りされていないため、蝶ネジ１３が外れないようにした。したがって、支持柱７が、中空のパイプ形状から形成されずに、ネジ切りがされている場合には、蝶ネジ１３が外れにくいから、ナット１３ｂは、省略してもよい。このように、対向関係に位置するよう、支持柱７にネジ孔１３ｈと蝶ネジ１３とを形成することにより、バケツをバランスよく固定でき、安定してバケツを持ち運びできる。なお、この固定構造２９は、本実施形態に限らず、たとえば、ネジ孔１３ｈにネジ切りを入れてもよい。また、蝶ネジ１３の代わりにネジやピンを使用してもよい。固定構造の使用方法は、次項で説明する。
【００２２】
（固定構造の使用方法）
図４を参照しながら、固定構造の使用方法について説明する。ネジ孔１３ｈに、支持柱７の外側から蝶ネジ１３を差し込み、支持柱７の内側から突き出した蝶ネジ１３の先端１３ａにナット１３ｂを嵌め込み、さらに、ナット１３ｂから先端１３ａを突き出させてバケツ１０１の環状フランジ部１０３の上端１０３ａに接触させる。この接触と支持環５と環状フランジ部１０３の下端１０３ｂとの接触とにより、バケツ１０１を安定して吊り下げられる。したがって、吊り下げ具１に取り付けたバケツ１０１が、移動中に支持環５の上で暴れたりせず、飾り付けた花や花の茎を傷めず持ち運びできる。蝶ネジ１３を弛めれば、上端１０３ａに接触していた蝶ネジ１３の先端１３ａが、接触しなくなり、吊り下げ具１をバケツから取り外しできる。したがって、バケツが損傷したりすれば、別のバケツと簡単に交換できるため使い易い。
【００２３】
（支持構造）
図１乃至３及び６を参照しながら支持構造について説明する。支持構造１５は、把持棒９の略中央に設けてあり、平面視矩形の板状部材１７と、板状部材１７の上端から下端に貫通形成した縦孔１７ｈとにより構成してある。縦孔１７ｈは、表示板１９から垂下する支持棒２１を差し込み引き抜き可能に形成されている。この支持構造１５に限らず、把持棒９に縦孔１７ｈを設け、その縦孔１７ｈに支持棒２１を差し込んでもよい。縦孔１７ｈに支持棒２１を挿し込むと、表示板１９を正面視中央に配することができる。したがって、表示板１９（支持棒２１）を持ち運び前に挿し込まずに、会場へ運んだ後に挿し込んでも、中央に挿し込みでき、美観を損ねない。さらに、会場へ運んだ後に差し込みできるから、持ち運びが容易となり、表示板１９や支持棒２１により花を傷めずに済む。なお、この支持構造が不要な場合には省略可能である。
【００２４】
（吊り下げ具の使用方法）
図１乃至４及び６を参照しながら、本実施形態に係る吊り下げ具の使用方法について説明する。水に湿らせた吸水性スポンジ（図示せず）を、バケツ１０１に入れる。バケツ１０１を持ち上げ、支持環５の中空部を、バケツ１０１の底部１０１ｃ側からバケツ上端部に向かって嵌め込み、バケツ１０１に形成した環状フランジ部１０３の下端１０３ｂに当接させる。環状フランジ部１０３下端１０３ｂに当接させたまま、支持柱７各々に形成した固定構造２９により、バケツ１０１を固定する。固定構造２９は、蝶ネジ１３を締めてバケツ１０１の環状フランジ部１０３の上端１０３ａに蝶ネジ１３の先端１３ａを接触させ、バケツ１０１にしっかりと固定させる。これにより吊り下げ具１の装着が完了する。吊り下げ具１の装着が完了したら、バケツ１０１に入った吸水性スポンジ（図示せず）に花を挿し込んで飾り付けをする。体裁を整える程度の最後の仕上げを残して、吊り下げ具１（把持棒９）を持ってバケツ１０１を、会場に運び込む。会場で最後の仕上げ、すなわち、表示板１９（支持棒２１）の差し込みや吊り下げ具１を外部から見えなくするための仕上げ等を施し、花の飾り付けは終了する。使用が終わったバケツ１０１は、吊り下げ具１を持って会場から回収する。花をバケツ１０１から取り除いたら、吊り下げ具１の蝶ネジ１３を弛めて、環状フランジ部１０３の上端１０３ａとの接触を無くす。これにより、環状フランジ部１０３から支持環５を取り外すことができる。取り外した支持環５は、バケツ１０１の底部１０１ｃを持ち上げて、バケツ１０１から完全に外すことができる。これにより、吊り下げ具１の取り外しが完了する。
【００２５】
（吊り下げ具の変形例）
図５を参照しながら、吊り下げ具の変形例について説明する。ここでは、本実施形態に係る吊り下げ具と相違する点についてのみ説明し、両者共通する点については、図１乃至４、及び６に用いた符号と同じ符号を図５において使用するに止め、それらの点についての説明は省略する。本願実施形態と変形例とは、支持柱が伸縮構造を有している点で相違する。前述したように、支持柱５７はパイプ材によって構成してある。すなわち、伸縮構造を有する支持柱５７は、下部支持柱２５と、下部支持柱２５の内径よりも僅かに小さな外径をもって下部支持柱２５の中空部２７内に差し込み抜き取り可能な上部支持柱２３と、により構成してある。下部支持柱２５には下部貫通孔２５ｈが、上部支持柱２３には上部貫通孔２３ｈが、両者が対応する位置にそれぞれ貫通形成してある。すなわち、下部支持柱２５に部分的に上部支持柱２３を差し込んだときに下部貫通孔２５ｈと上部貫通孔２３ｈとが連通するように両貫通孔を形成してある。貫通した下部貫通孔２５ｈと上部貫通孔２３ｈは、ストップピン３１を抜き差しできるように構成してある。上部貫通孔２３ｈは、下部支持柱２５と上部支持柱２３との差込寸法を段階的に変更できるように複数個を長さ方向に所定間隔ごとに形成してある。これらの下部支持柱２５（上部支持柱２３）と下部貫通孔２５ｈ（上部貫通孔２３ｈ）と、ストップピン３１とにより、本実施形態における伸縮構造を構成する。なお、このストップピン３１の代わりに、蝶ネジを使用することも可能であり、ねじ込み可能なように、下部貫通孔２５ｈ、上部貫通孔２３ｈのそれぞれには、ネジきりを形成してもよい。
【図面の簡単な説明】
【００２６】
【図１】バケツに装着した吊り下げ具の斜視図である。
【図２】バケツに装着した吊り下げ具の平面図である。
【図３】バケツに装着した吊り下げ具の正面図である。
【図４】バケツに装着した吊り下げ具における固定構造の部分拡大図である。
【図５】吊り下げ具の変形例を示す図である。
【図６】吊り下げ具の使用状態を示す正面図である。
【符号の説明】
【００２７】
１，５７        吊り下げ具
５              支持環
７              支持柱
７ａ，７ａ´    端部
７ｂ，７ｂ´    上端
９              把持棒
１３              蝶ネジ
１３ａ            先端
１３ｂ            ナット
１５              支持構造
１７              板上部材
１７ｈ            縦孔
１９              表示板
２１              支持棒
２３              上部支持柱
２３ｈ            上部貫通孔
２５              下部支持柱
２５ｈ            下部貫通孔
２７              中空部
２９              固定構造
３１              ストップピン
１０１              合成樹脂製バケツ
１０１ｃ            底部
１０３              環状フランジ部
１０３ａ            上端
１０３ｂ            下端
【図１】
0003122303.tif 000003
【図２】
0003122303.tif 000004
【図３】
0003122303.tif 000005
【図４】
0003122303.tif 000006
【図５】
0003122303.tif 000007
【図６】
0003122303.tif 000008